(57)【要約】      （修正有）【課題】電磁石を使用することにより効果的な演出を可能とした装飾用カーテンの落下装置を提供する。【解決手段】装飾用カーテン２の上縁に支持板３を取り付け、支持板３に複数の電磁石４を固定し、各電磁石４に通電して各電磁石４に磁力を発生させるオン状態と、各電磁石４への通電を解除して各電磁石４の磁力を消勢させるオフ状態とを取り得るスイッチボックス８を設け、スイッチボックス８のオン状態において各電磁石４を天井面の金属板９に磁気的に吸着させて装飾用カーテン２を吊り下げられるように構成し、スイッチボックス８をオフ状態として各電磁石４の磁力を消勢することにより、天井面に吊り下げ状態の装飾用カーテン２を直下の方向に落下し得るように構成する。【選択図】図１
0003199008.tif 000002
【実用新案登録請求の範囲】
【請求項１】
装飾用カーテンの上縁部に長さ方向に支持板を取り付け、該支持板に所定間隔で複数の電磁石を各吸着面を上向きに固定し、
上記各電磁石と電気的に接続され、上記各電磁石に通電して上記各電磁石に磁力を発生させるオン状態と、上記各電磁石への通電を解除して上記各電磁石の磁力を消勢させるオフ状態とを取り得るスイッチ手段を設け、
上記スイッチ手段の上記オン状態において上記各電磁石の上記各吸着面を天井面の金属部分に磁気的に吸着させて当該装飾用カーテンを上記天井面に吊り下げ可能に構成し、
上記装飾用カーテンの吊り下げ状態において、上記スイッチ手段を上記オフ状態として上記各電磁石の磁力を消勢することにより、上記装飾用カーテンを上記支持板共々直下の方向に落下し得るように構成したものである装飾用カーテンの落下装置。
【請求項２】
上記装飾用カーテンの上記吊り下げ状態において、該装飾用カーテンの下縁部に対応する床面に設置可能なものであって、上方から落下してくる上記支持板及び上記装飾用カーテンを受け取るためのカーテン収納部材を設け、
該カーテン収納部材内には衝撃吸収用の弾性材を配置したものである請求項１記載の装飾用カーテンの落下装置。
【請求項３】
上記各電磁石と上記スイッチ手段とを所定長の電気線にて電気的に接続し、
上記装飾用カーテンの上記吊り下げ状態において、上記スイッチ手段は上記装飾用カーテンの吊り下げ位置から離間した床面に設置し得るように構成したものである請求項１又は２記載の装飾用カーテンの落下装置。
【請求項４】
上記スイッチ手段を上記オフ状態とすることにより、上記複数の電磁石への通電を同時に停止し得るように構成したものである請求項１〜３の何れかに記載の装飾用カーテンの落下装置。
【考案の詳細な説明】
【技術分野】
【０００１】
本考案は、例えば結婚披露宴等のステージ等に使用される装飾用カーテンであって、所定のカーテンを落下させることにより、各種の演出を可能とした装飾用カーテンの落下装置に関するものである。
【背景技術】
【０００２】
従来、結婚披露宴会場その他各種宴会等の雛壇の背後又はステージに天井面から複数の装飾用カーテンを設け、雛壇又はステージを装飾することが行われている。
【０００３】
このような装飾用カーテンは、天井面に予め金属製のプレートを固定しておくと共に、装飾用カーテンの上縁に沿って複数個のマグネット（永久磁石）を収納配置し、上記装飾用カーテンを持ち上げて上記上縁のマグネットを上記天井面の上記金属製プレートに吸着することにより、上記カーテンを上記天井面に固定する構成である（特許文献１）。
【先行技術文献】
【特許文献】
【０００４】
【特許文献１】実用新案登録第３１９３８２０号公報（図１０参照）
【特許文献２】実用新案登録第３０３４１１６号公報
【考案の概要】
【考案が解決しようとする課題】
【０００５】
ところで、近年の結婚披露宴等において、カーテンが左右に開いたところに新郎新婦が登場する等の各種の演出が行われるが、所定のカーテンを落下させて、その背後に新郎新婦が登場する等のより効果的な演出が望まれている。
【０００６】
このような演出を実現するためには、例えば特許文献２に示すような舞台装置としての垂れ幕を落下させる技術を用いることが考えられる。
【０００７】
この種の垂れ幕は、天井面に横方向にスライド可能な横バーを設置し、この横バーに垂れ幕を上縁リングを介して吊り下げておき、モータにより回転軸を回転させることにより上記横バーを水平方向にスライドさせて上縁リングを横バーから離脱させることにより、垂れ幕を下方に落下させる構造である。
【０００８】
しかしながら、天井面にモータ、横バー等からなる駆動機構等の大掛かりな装置を設置する必要があり、このような装置はホテル等の宴会場の天井面に設置できないし、装置構成が複雑である上、横バーの迅速な横移動ができず、垂れ幕を瞬時に落下させる等の効果的な演出は難しいとの課題がある。
【０００９】
本考案は、上記従来の課題に鑑みてなされたものであり、電磁石を使用することにより、装飾用カーテンを例えば瞬時に落下させる等の効果的な演出を可能とした装飾用カーテンの落下装置を提供することを目的とする。
【課題を解決するための手段】
【００１０】
上記の目的を達成するため本考案は、
第１に、装飾用カーテンの上縁部に長さ方向に支持板を取り付け、該支持板に所定間隔で複数の電磁石を各吸着面を上向きに固定し、上記各電磁石と電気的に接続され、上記各電磁石に通電して上記各電磁石に磁力を発生させるオン状態と、上記各電磁石への通電を解除して上記各電磁石の磁力を消勢させるオフ状態とを取り得るスイッチ手段を設け、上記スイッチ手段の上記オン状態において上記各電磁石の上記各吸着面を天井面の金属部分に磁気的に吸着させて当該装飾用カーテンを上記天井面に吊り下げ可能に構成し、上記装飾用カーテンの吊り下げ状態において、上記スイッチ手段を上記オフ状態として上記各電磁石の磁力を消勢することにより、上記装飾用カーテンを上記支持板共々直下の方向に落下し得るように構成したものである装飾用カーテンの落下装置により構成される。
【００１１】
スイッチ手段は例えばスイッチボックス（８）により構成することができる。上記金属部分は例えば金属板（９）により構成することができる。このように構成すると、装飾用カーテンの支持板を複数の電磁石の磁力を以って天井面の金属部分に吸着した状態において、スイッチ手段を操作して電磁石への通電を解除すると、上記各電磁石の磁力が消勢するため、装飾用カーテンを直下の方向に落下させることができる。これにより、簡易な構成でありながら、例えば装飾用カーテンが落下した位置の背後から新郎新婦が登場する等の効果的な演出を行うことができる。
【００１２】
第２に、上記装飾用カーテンの上記吊り下げ状態において、該装飾用カーテンの下縁部に対応する床面に設置可能なものであって、上方から落下してくる上記支持板及び上記装飾用カーテンを受け取るためのカーテン収納部材を設け、該カーテン収納部材内には衝撃吸収用の弾性材を配置したものである上記第１記載の装飾用カーテンの落下装置により構成される。
【００１３】
このように構成すると、上記上縁の支持板を含めた装飾用カーテンは直下のカーテン収納部材内に落下収納される。このときカーテン収納部材内には弾性材が配置されているので、電磁石及び支持板の落下の衝撃は上記弾性材に吸収され、支持板及び電磁石が損傷することを防止することができる。また、装飾用カーテンはカーテン収納部材内に収納されるので、カーテン収納部材を移動させることにより、落下後の装飾用カーテンの撤収を効率的に行うことができる。
【００１４】
第３に、上記各電磁石と上記スイッチ手段とを所定長の電気線にて接続し、上記装飾用カーテンの上記吊り下げ状態において、上記スイッチ手段は上記装飾用カーテンの吊り下げ位置から離間した床面に設置し得るように構成したものである上記第１又は２記載の装飾用カーテンの落下装置により構成される。
【００１５】
このように構成すると、スイッチ手段は床面の操作のし易い任意の位置に設置することができ、スイッチ手段の操作性を高めることができる。
【００１６】
第４に、上記スイッチ手段を上記オフ状態とすることにより、上記複数の電磁石への通電を同時に停止し得るように構成したものである上記第１〜３の何れかに記載の装飾用カーテンの落下装置により構成される。
【００１７】
このように構成すると、スイッチ手段を以ってオフ状態に操作すると、全ての電磁石への通電が同時に停止するので、全ての電磁石の磁力が同時に消勢する。よって、装飾用カーテンを一気に落下させる等の効果的な演出を簡易な構成及び操作で行うことができる。
【考案の効果】
【００１８】
本考案によれば、装飾用カーテンの支持板を複数の電磁石の磁力を以って天井面の金属部分に吸着した状態において、スイッチ手段を操作して電磁石への通電を解除して、装飾用カーテンを直下の方向に落下させることができる。従って、簡易な構成でありながら、例えば装飾用カーテンが落下した位置の背後から新郎新婦が登場する等の効果的な演出を行うことができる。
【００１９】
また、カーテン収納部材内には弾性材が配置されているので、電磁石及び支持板の落下の衝撃は弾性材により吸収され、支持板及び電磁石が損傷することを防止することができる。
【００２０】
また、装飾用カーテンはカーテン収納部材内に収納されるので、カーテン収納部材を移動させることにより、落下後の装飾用カーテンの撤収、移動等を効率的に行うことができる。
【００２１】
また、スイッチ手段は地上の操作のし易い任意の位置に設置することができ、スイッチ手段の操作性を高めることができる。
【００２２】
また、スイッチ手段を以って例えば装飾用カーテンを一瞬で落下させる等の効果的な演出を簡易な構成及び操作で行うことができる。
【図面の簡単な説明】
【００２３】
【図１】本考案に係る装飾用カーテンの落下装置の全体構成を示す斜視図である。
【図２】（ａ）は同上装置の装飾用カーテンを天井に取り付けた状態の側面図、（ｂ）は同上装置の装飾用カーテンが落下している状態の側面図、（ｃ）は同上装置の装飾用カーテンが落下した状態を示す側面図である。
【図３】同上装置のスイッチボックスの斜視図である。
【図４】同上装置に使用する電磁石の側面断面図である。
【図５】同上装置のカーテン収納部材の側面断面図である。
【図６】同上装置の動作の説明図であり、（ａ）は同上装置の装飾用カーテンの取り付け状態の正面図、（ｂ）は同上装置の装飾用カーテンが落下した状態を示す正面図である。
【図７】同上装置の電磁石とスイッチボックスの電気的構成を示す回路図である。
【考案を実施するための形態】
【００２４】
以下、添付図面に基づいて本考案に係る装飾用カーテンの落下装置について詳細に説明する。
【００２５】
図１は同上装置１の全体構成を示す図であり、装飾用カーテン２の上縁部に長さ方向（カーテンの面に沿う方向）に細長板状の支持板３を取り付け、該支持板３に所定間隔で複数（本実施形態では４個）の電磁石４を各吸着面４ａを上向きに固定する。
【００２６】
この装飾用カーテン２はドレープ２ａを大きくとった装飾用のものであり、天井面５から略床面６に至る長さを有している。上記装飾用カーテン２の上縁部２ｂと上記支持板３の下面側は接着剤又は複数のピン等にて確実に接続されている。
【００２７】
上記電磁石は図４に示すように円筒形の筐体４ｂ内に鉄心４ｃを有し、その周りにコイル４ｄが巻かれた周知の電磁石であり、通電用の２本の電気線７，７を有している。上記支持板３の上面には４つの上記電磁石４を一定間隔で接着剤等にて固定し、各電磁石４の各電気線７，７は、上記支持板３上の長手方向に沿って引き回し、上記支持板３の一方の側部３ａ側から床面６の方向に延び、スイッチボックス８に接続される。
【００２８】
上記各電磁石４の上記電気線７，７の先端部は各々プラス側とマイナス側の接続プラグ７ａ，７ｂが設けられている。この各電磁石４の電気線７，７は、上記支持板３の側部３ａから延長され、床面６の適所に設置されているスイッチボックス８のジャック８ａ１〜８ａ４（プラス側）、ジャック８ｂ１〜８ｂ４（マイナス側）に接続し得る長さを有している。
【００２９】
図３において、８はスイッチボックスであり、直方体形状をなしており、上面に上記接続プラグ７ａ，７ｂを差し込むためのジャック、即ち、各電磁石４に対応するプラス側のジャック８ａ１、８ａ２，８ａ３，８ａ４，及びマイナス側のジャック８ｂ１，８ｂ２，８ｂ３，８ｂ４が設けられている。
【００３０】
そして、上記各電磁石４の各プラス側接続プラグ７ａを各々上記ジャック８ａ１，８ａ２，８ａ３，８ａ４に接続し、上記各マイナス側の接続プラグ７ｂを上記ジャック８ｂ１，８ｂ２，８ｂ３，８ｂ４に各々接続することで、上記スイッチボックス８内において、図７に示す電気回路が形成されるように構成されている。即ち、上記各電磁石４は並列に接続され、さらにこれらの電磁石４にスイッチ８ｃ及び直流電源８ｄが並列に接続される。
【００３１】
よって、上記図３に示す接続状態において、上記スイッチ８ｃをオンすると、上記直流電源８ｄが上記各電磁石４に同時に印加され、これにより各電磁石４に所定の電流が流れ（通電状態となり）、従って各電磁石４が同時に磁力を生じさせる。この状態をオン状態という。
【００３２】
一方上記スイッチ８ｃをオフすると、上記直流電源８ｄが遮断されるため上記各電磁石４への電流が同時に停止され、上記各電磁石４の磁力が同時に消勢するように構成される。この状態をオフ状態という。
【００３３】
このように、上記スイッチボックス８は、上記各電磁石４と電気的に接続されており、上記各電磁石４に通電して上記各電磁石４に磁力を発生させるオン状態と、上記各電磁石４への通電を解除して上記各電磁石４の磁力を消勢させるオフ状態とを切り換えるものである。
【００３４】
このスイッチボックス８は、上記装飾用カーテン２を天井面５に設置した状態において、上記各電磁石４に接続された状態のまま、上記電気線７を介して、装飾用カーテン２の近傍の床面６上の適所、又は装飾用カーテン２の近傍の床面６上に載置されたテーブルの上等、操作者が操作し易い場所に設置される（図６参照）。
【００３５】
上記天井面５には予め磁性体による金属板９が固定されている。この金属板９は、当該会場の天井面５における上記装飾用カーテン２を設置する場所に予め設置しておく。この金属板９は、少なくとも上記支持板３と同一の長手方向の長さを有するものであり、各電磁石４の吸着面４ａが確実に吸着し得る幅を有するものである。尚、この金属板９は一体ものでなくても良く、各電磁石４に対応した天井面５に複数枚設けても良い。この金属板９と天井面との接続は、ボルト、接着剤等により行う。
【００３６】
上記装飾用カーテン２の上記吊り下げ状態において、該装飾用カーテン２の下縁部２ｃの長さ方向に対応して、上方から落下してくる装飾用カーテン２及び電磁石４を支持した上記支持板３を受け取るためのカーテン収納部材１０が載置されている。
【００３７】
このカーテン収納部材１０は、図１に示すように、直方体形状の上面開口の箱体であり、内部には上記支持板３の落下の衝撃を吸収するための弾性材１１が収納部材１０内底面全体に敷き詰められている。尚、図１のカーテン収納部材１０の一端部（図１中手前側）は、弾性材１１を表現するため断面として描いているが、実際は当該一端部は閉鎖されている。
【００３８】
本考案は上述のように構成されるものであるから、以下、本考案に係る装飾用カーテンの落下装置の動作を説明する。
【００３９】
ここで本実施形態においては、図６（ａ）（ｂ）に示すように、例えば結婚披露宴会場において、新郎新婦が登場する階段１２の前方側の天井面５に予め金属板９を固定しておき、当該金属板９に本考案に係る装飾用カーテン２をその電磁石４にて磁気的に吸着させておく。
【００４０】
即ち、スイッチボックス８のスイッチ８ｃをオンし、上記各電磁石４に磁力が発生したオン状態において、上記装飾用カーテン２を天井面５側に持ち上げて、上記各電磁石４を上記天井面５の上記金属板９に磁気的に吸着させる。そして、上記装飾用カーテン２の下縁部２ｃには、当該下縁部２ｃに沿ってカーテン収納部材１０を設置しておく。
【００４１】
ここでは当該装飾用カーテン２の前方側の天井面５に、前方側から後方側に、下に凸円弧状にドレープ付の装飾用カーテン１３を取り付け、さらに上記装飾用カーテン２の左右にドレープ付の他の装飾用カーテン１４，１５を吊り下げ、上記階段１２の前側のみ本考案に係る装飾用カーテン２を設置しておく（図６（ａ）、図２（ａ）参照）。
【００４２】
またスイッチボックス８は、電気線７を介して、上記装飾用カーテン１４の裏面側の床面６に設置されたテーブル１６の上に設置しておく。
【００４３】
かかる状態において、新朗新婦が登場する直前のタイミングで、操作者が上記スイッチボックス８の上記スイッチ８ｃをオフする。すると、上記装飾用カーテン２の各電磁石４の磁力が同時に消勢してオフ状態となるため、上記各電磁石４と上記金属板９との吸着が解除される（図２（ｂ）参照）。
【００４４】
すると上記装飾用カーテン２はその支持板３及び各電磁石４の自重により、直ちに直下に落下し、上記電磁石４共々上記支持板３と装飾用カーテン２は上記カーテン収納部材１０の内部に落下して収納された状態となる（図２（ｃ）、図６（ｂ））。
【００４５】
その後は、上記装飾用カーテン２が落下したタイミングで、上記階段１２から新郎新婦が降りてくる等の演出を行うことができる。
【００４６】
尚、上記落下した装飾用カーテン２を収納したカーテン収納部材１０は、その後、右又は左の装飾用カーテン１４，１５の背後等に素早く移動すれば良い。このように落下後の装飾用カーテン２の撤収、移動等をも容易に行うことができる。
【００４７】
上記スイッチ８ｃをオフにしたとき、上記全電磁石４への通電が同時に停止するので、上記全電磁石４の磁力を同時に消勢させることができ、よって装飾用カーテン２を上記オフ操作と同時に一気に落下させることができ、極めて効果的な演出を行うことができる。
【００４８】
本考案は、上記実施形態に限定されることはなく、例えば本考案に係る装飾用カーテン２を複数台用意し、１つの会場の複数個所の天井面５にこれらの装飾用カーテン２を設置しておき、スイッチボックス８のスイッチ８ｃをオフすることにより、複数の装飾用カーテン２を同時に落下させる、という演出も行うことができる。このように複数の装飾用カーテン２を一気に落下させることにより、会場の景色を一瞬のうちに変化させる等の効果的な演出をも行うことができるものある。
【００４９】
以上のように、本考案によれば、装飾用カーテン２の支持板３を複数の電磁石４の磁力を以って天井面５の金属部分（金属板９）に吸着した状態において、スイッチ手段（スイッチボックス８）を操作して電磁石４への通電を解除すると、装飾用カーテン２は直下の方向に同時に落下させることができる。従って、簡易な構成でありながら、例えば装飾用カーテン２が落下した位置の背後から新郎新婦が登場する等の効果的な演出を行うことができる。
【００５０】
また、カーテン収納部材１０内には弾性材１１が配置されているので、電磁石４及び支持板３の落下の衝撃は弾性材１１により吸収され、支持板３及び電磁石４が損傷することを防止することができる。
【００５１】
また、装飾用カーテン２はカーテン収納部材１０内に収納されるので、カーテン収納部材１０を移動させることにより、落下後のカーテン２の撤収、移動等を効率的に行うことができる。
【００５２】
また、スイッチ手段は地上の操作のし易い任意の位置に設置することができ、スイッチ手段の操作性を高めることができる。
【００５３】
また、スイッチ手段を以って装飾用カーテン２を一瞬で落下させる等の効果的な演出を簡易な構成及び操作で行うことができる。
【産業上の利用可能性】
【００５４】
本考案に係る装飾用カーテンの落下装置は、装飾用カーテンを落下させるという演出を、簡易な構成及び簡単な操作にて行うことができ、結婚披露宴会場をはじめ、各種宴会場、発表会場、ファッションショー等の演出に広く利用できるものである。
【符号の説明】
【００５５】
１                装飾用カーテンの落下装置
２                装飾用カーテン
２ｂ              上縁部
２ｃ              下縁部
３                支持板
４                電磁石
４ａ              吸着面
５                天井面
６                床面
７                電気線
８                スイッチボックス（スイッチ手段）
９                金属板（金属部分）
１０              カーテン収納部材
１１              弾性材
【図１】
0003199008.tif 000003
【図２】
0003199008.tif 000004
【図３】
0003199008.tif 000005
【図４】
0003199008.tif 000006
【図５】
0003199008.tif 000007
【図６】
0003199008.tif 000008
【図７】
0003199008.tif 000009